(57)【要約】  【課題】  高画質なカラー画像を表示することができる表示媒体を提供すること。  【解決手段】  Ｙ電極３は、赤、緑、青に着色されたライン電極３Ｒ，３Ｇ，３Ｂによって構成されているので、画像をカラー表示させるべく、従来のように、カラーフィルタと電極とを位置合わせしたり、着色されたマイクロカプセルと電極とを位置合わせする必要がないばかりでなく、Ｙ電極３を介して光を確実に変色させることができるので、カラー画像を高画質に表示させることができる。  【選択図】        図１
2007072293.tif 000002
【特許請求の範囲】
【請求項１】
第１基板と、前記１基板に対して実質的に平行に離間配置され画素単位で形成される画像を表示する表示面を有する第２基板と、少なくとも各画素に対応する部分を有し前記第１基板に形成される第１電極と、少なくとも各画素に対応する部分を有し前記第２基板に形成される第２電極と、前記第１基板と前記第２基板との間に形成される液室と、その液室内に封入される流動性物質とを備え、前記第１電極と前記第２電極とによって発生される電界によって前記流動性物質を流動させることで前記表示面に画像を表示する表示媒体において、
前記第２電極は、導電性高分子を含有する無色透明又は無色半透明の導電性材料を色素によって着色して構成されていることを特徴とする表示媒体。
【請求項２】
前記第２電極は、前記導電性材料を染料によって着色して構成されていることを特徴とする請求項１に記載の表示媒体。
【請求項３】
前記染料の前記流動性物質に対する溶解性は、前記染料の前記導電性材料に対する溶解性よりも低いことを特徴とする請求項２に記載の表示媒体。
【請求項４】
前記第２基板と前記流動性物質との間で前記第２電極を覆う保護膜を備えていることを特徴とする請求項１から３のいずかに記載の表示媒体。
【請求項５】
前記第２電極は、少なくとも２色以上に着色されていることを特徴とする請求項１から４のいずれかに記載の表示媒体。
【請求項６】
前記第２電極は、前記各画素に対応する部分の各々が縦または横または斜めに直線状に並ぶ直線状部分において同一色に着色され、且つ、隣合う前記直線状部分が異なる色で着色されていることを特徴とする請求項５に記載の表示媒体。
【請求項７】
一の色で着色されている前記直線状部分は、他の色で着色されている前記直線状部分よりも幅広に形成されていることを特徴とする請求項６に記載の表示媒体。
【請求項８】
前記第１電極は、第１方向に並ぶ前記各画素に対応する部分の各々を連続して形成されており、
前記第２電極は、前記第１方向と交差する第２方向に並ぶ前記各画素に対応する部分の各々を連続して形成されていることを特徴とする請求項１から７のいずれかに記載の表示媒体。
【請求項９】
前記第１電極または前記第２電極は、前記各画素に対応する部分の各々を分離した状態で形成されており、
前記第１電極が形成される前記第１基板または前記第２電極が形成される前記第１基板に配置され、前記各画素に対応する部分の各々を囲むマトリックス状に組まれた導電性を有する区画部材と、
その区画部材によって囲まれている前記各画素に対応する部分の各々と、前記区画部材とを断続可能なスイッチ手段とを備えていることを特徴とする請求項１から７のいずれかに記載の表示媒体。
【請求項１０】
前記流動性物質は、正又は負に帯電された帯電粒子が分散された電気泳動媒体であることを特徴とする請求項１から９のいずれかに記載の表示媒体。
【発明の詳細な説明】
【技術分野】
【０００１】
本発明は、表示媒体に関する。
【背景技術】
【０００２】
従来より、所定パターンの電極が形成された２枚の基板間に流動性物質を封入し、電極によって発生される電界によって流動性物質を流動させることで一方の基板面に画像を表示する表示媒体が知られており、この種の表示媒体として、例えば、電気泳動方式を採用した表示媒体が知られている。
【０００３】
図７（ａ）は、電気泳動方式を採用した従来の表示媒体１００を示す断面図である。表示媒体１００は、単純マトリックス方式で駆動され、一方の基板１０１には、第１の方向に第１電極１０２が縞状に形成され、他方の基板１０３には、第１の方向と直交する第２の方向に第２電極１０４が縞状に形成されている。
【０００４】
また、一対の基板１０１，１０３の間には、流動性物質として電気泳動媒体１０７が封入されている。そして、電気泳動媒体１０７は、白色に着色された白色帯電粒子１０５と黒色に着色された黒色帯電粒子１０６とを含む。更に、カラー画像を表示させるべく、第２電極１０４が形成されている面とは反対側の基板面上には、第２電極１０４に対応させて赤色のカラーフィルタ１０８ａと、緑色のカラーフィルタ１０８ｂと、青色のカラーフィルタ１０８ｃとが固着されている。
【０００５】
この表示媒体１００によれば、第１電極１０２と第２電極１０４とが交差する部分において１の画素が形成され、この画素単位で白色帯電粒子１０５と黒色帯電粒子１０６との動きを画素単位で制御することで、３色（赤、緑、青）のカラーフィルタ１０８ａ，１０８ｂ，１０８ｃを介してカラー画像を表示させることができる。
【０００６】
また、上述したように、カラー画像を表示可能な他の表示媒体例として、次の特許文献１には、白色粒子と黒色粒子とを含有する分散媒が封入されたマイクロカプセルを、所定パターンの電極が形成されている一対の基板間に敷き詰め、マイクロカプセル自体を着色することで、カラー画像を表示させるマイクロカプセル型電気泳動方式反射型カラーディスプレイが開示されている。
【特許文献１】特開２００３−１０８０３５号公報（第２３，２４，２５段落、図１）
【発明の開示】
【発明が解決しようとする課題】
【０００７】
しかしながら、上述した従来の表示媒体１００（図７（ａ）参照）では、３色（赤、緑、青）のカラーフィルタ１０８ａ，１０８ｂ，１０８ｃと第２電極１０４とが別体に構成さているので、図７（ａ）に示すように、カラーフィルタ１０８ａ，１０８ｂ，１０８ｃと第２電極１０４とを完全に重複させるのは困難であり、実際には、図７（ｂ）に示すように、第２電極１０４に対してカラーフィルタ１０８ａ，１０８ｂ，１０８ｃがズレて配置される。そのため、カラーフィルタ１０８ａ，１０８ｂ，１０８ｃを介することなく表示面から放射される光が発生し、カラー画像の画像品質が低下するという問題点があった。
【０００８】
また、上述した特許文献１に開示されているマイクロカプセル型電気泳動方式反射型カラーディスプレイでも、着色されているマイクロカプセルと電極とが別体に構成されているので、マイクロカプセルと電極とを完全に重複させるのは困難であり、上述した従来の表示媒体１００と同様に、カラー画像の画像品質が低下するという問題点があった。
【０００９】
本発明は、上述した問題点を解決するためになされたものであり、高画質なカラー画像を表示することができる表示媒体を提供することを目的としている。
【課題を解決するための手段】
【００１０】
この目的を達成するために、請求項１記載の表示媒体は、第１基板と、前記１基板に対して実質的に平行に離間配置され画素単位で形成される画像を表示する表示面を有する第２基板と、少なくとも各画素に対応する部分を有し前記第１基板に形成される第１電極と、少なくとも各画素に対応する部分を有し前記第２基板に形成される第２電極と、前記第１基板と前記第２基板との間に形成される液室と、その液室内に封入される流動性物質とを備え、前記第１電極と前記第２電極とによって発生される電界によって前記流動性物質を流動させることで前記表示面に画像を表示するものであって、前記第２電極は、導電性高分子を含有する無色透明又は無色半透明の導電性材料を色素によって着色して構成されている。
【００１１】
請求項２記載の表示媒体は、請求項１記載の表示媒体において、前記第２電極は、前記導電性材料を染料によって着色して構成されている。
【００１２】
請求項３記載の表示媒体は、請求項２記載の表示媒体において、前記染料の前記流動性物質に対する溶解性は、前記染料の前記導電性材料に対する溶解性よりも低い。
【００１３】
請求項４記載の表示媒体は、請求項１から３のいずれかに記載の表示媒体において、前記第２電極は前記第２基板の前記流動性物質側の面に形成されており、前記第２基板と前記流動性物質との間で前記第２電極を覆う保護膜を備えている。
【００１４】
請求項５記載の表示媒体は、請求項１から４のいずれかに記載の表示媒体において、前記第２電極は、少なくとも２色以上に着色されている。
【００１５】
請求項６記載の表示媒体は、請求項５に記載の表示媒体において、前記第２電極は、前記各画素に対応する部分の各々が縦または横または斜めに直線状に並ぶ直線状部分において同一色に着色され、且つ、隣合う前記直線状部分が異なる色で着色されている。
【００１６】
請求項７記載の表示媒体は、請求項６記載の表示媒体において、一の色で着色されている前記直線状部分は、他の色で着色されている前記直線状部分よりも幅広に形成されている。
【００１７】
請求項８記載の表示媒体は、請求項１から７のいずれかに記載の表示媒体において、前記第１電極は、第１方向に並ぶ前記各画素に対応する部分の各々を連続して形成されており、前記第２電極は、前記第１方向と交差する第２方向に並ぶ前記各画素に対応する部分の各々を連続して形成されている。
【００１８】
請求項９記載の表示媒体は、請求項１から７のいずれかに記載の表示媒体において、前記第１電極または前記第２電極は、前記各画素に対応する部分の各々を分離した状態で形成されており、前記第１電極が形成される前記第１基板または前記第２電極が形成される前記第１基板に配置され、前記各画素に対応する部分の各々を囲むマトリックス状に組まれた導電性を有する区画部材と、その区画部材によって囲まれている前記各画素に対応する部分の各々と、前記区画部材とを断続可能なスイッチ手段とを備えている。
【００１９】
請求項１０記載の表示媒体は、請求項１から９のいずれかに記載の表示媒体において、前記流動性物質は、正又は負に帯電された帯電粒子が分散された電気泳動媒体である。
【発明の効果】
【００２０】
請求項１記載の表示媒体によれば、第２電極は、導電性高分子を含有する無色透明又は無色半透明の導電性材料を色素によって着色して構成されているので、画像をカラー表示させるべく、従来のように、カラーフィルタと電極とを位置合わせしたり、着色されたマイクロカプセルと電極とを位置合わせする必要がないばかりでなく、第２電極を介して外部に放射される光を確実に変色させることができるので、カラー画像を高画質に表示させることができるという効果がある。
【００２１】
請求項２記載の表示媒体によれば、請求項１記載の表示媒体の奏する効果に加えて、第２電極は導電性材料を染料によって着色して構成されているので、簡単、且つ、安価に導電性材料を着色することができるという効果がある。
【００２２】
請求項３記載の表示媒体によれば、請求項２記載の表示媒体の奏する効果に加えて、染料の流動性物質に対する溶解性は、染料の導電性材料に対する溶解性よりも低いので、たとえ、着色された第２電極が流動性物質と接触する状態にあっても、導電性材料に溶解されている染料によって流動性物質が着色されるのを防止することができるという効果がある。
【００２３】
請求項４記載の表示媒体によれば、請求項１から３のいずれかに記載の表示媒体の奏する効果に加えて、第２電極は保護膜によって覆われているので、第２電極と流動性物質とが直接に接触するのが防止され、第２電極が流動性物質と接触することに伴う第２電極の劣化を防止することができるという効果がある。また、第２電極を着色する色素によって流動性部材が着色されるのを防止することができるという効果がある。
【００２４】
請求項５記載の表示媒体によれば、請求項１から４のいずれかに記載の表示媒体の奏する効果に加えて、第２電極は、少なくとも２色以上に着色されているので、１色で着色する場合に比べて多彩なカラー画像を表示させることができるという効果がある。
【００２５】
請求項６記載の表示媒体によれば、請求項５に記載の表示媒体の奏する効果に加えて、隣合う同一色に着色されている直線状部分は、互いに異なる色で着色されているので、少なくとも２色以上の色で第２電極をランダムに着色する場合に比べ、より高画質なカラー画像を表示させることができるという効果がある。
【００２６】
請求項７記載の表示媒体によれば、請求項６記載の表示媒体の奏する効果に加えて、一の色に着色されている直線状部分は、他の色に着色されている直線状部分よりも幅広に形成されているので、表示する画像をどのように表現した以下によって直線部分の幅を設定すればよく、望まれる色合いの画像を表示することができる。
【００２７】
請求項８記載の表示媒体によれば、請求項１から７のいずれかに記載の表示媒体の奏する効果に加えて、第１電極は第１方向に並ぶ各画素に対応する部分の各々を連続して形成されており、第２電極は第１方向と交差する第２方向に並ぶ各画素に対応する部分の各々を連続して形成されている。即ち、単純マトリックス駆動方式により駆動させることができるので、構造が簡単であり、製造コストを抑制することができるという効果がある。
【００２８】
請求項９記載の表示媒体によれば、請求項１から７のいずれかに記載の表示媒体の奏する効果に加えて、区画部材を介して各画素に対応する部分の各々に供給される電圧はスイッチ手段によって断続される。即ち、アクティブマトリックス駆動方式により駆動させることができるので、単純マトリックス駆動方式によって駆動させる場合に比べて、カラー画像を高コントラスト、高画質で表示させることができると共に、画像の表示速度を高速にすることができるという効果がある。
【００２９】
請求項１０記載の表示媒体によれば、請求項１から９記載の表示媒体の奏する効果に加えて、流動性物質は、正又は負に帯電された帯電粒子が分散された電気泳動媒体であるので、例えば、流動性物質を液晶で構成する場合に比べて、省消費電力で画像を表示させることができるという効果がある。
【発明を実施するための最良の形態】
【００３０】
以下、本発明の好ましい態様について、添付図面を参照して説明する。図１（ａ）は、本発明の表示媒体１０が搭載された表示装置１の外観斜視図であり、図１（ｂ）は、表示媒体１０の分解斜視図である。尚、図１（ｂ）では、第２基板１３の下面（第１基板１２と対向する面）に形成されているＹ電極３を明確に図示すべく、第２基板１３を２点鎖線で示している。
【００３１】
表示装置１は、本体２０と、本体２０に対して着脱自在に装着される表示媒体１０と、を備え、表示媒体１０を本体２０に装着した上で所定の操作を行うことにより表示媒体１０にデジタル画像を表示させることができる装置である。
【００３２】
本体２０は、表示媒体１０の大きさより一回り大きい矩形状に形成されたベースプレート２５と、そのベースプレート２５の周縁に取着される枠体２６と、枠体２６の内部に内包されている駆動制御ユニット（図示せず）とを備えている。
【００３３】
枠体２６は、略コの字状に形成されており、その表面には電源スイッチ２６ａと、コネクタ２６ｂとが配置されている。駆動制御ユニットは、表示媒体１０に形成されているＸ電極２及びＹ電極３（いずれも図１（ｂ）参照）に印加する電気信号を制御するものである。
【００３４】
本体２０に表示媒体１０が装着されると、表示媒体１０のＸ電極２及びＹ電極３が駆動制御ユニットに接続される。そして、駆動制御ユニットの制御により、コネクタ２６ｂを介して外部装置（例えばパーソナルコンピュータ）から入力される画像データに従った画像が表示媒体１０にカラー表示される。
【００３５】
表示媒体１０は、特に、高画質なフルカラー画像を表示することができるものであり、第１基板１２と、第２基板１３と、その第２基板１３と第１基板１２との間に挟持されるギャップスペーサ１７とを備え、これらを積層して構成されている。
【００３６】
尚、詳しくは図２を参照しつつ後述するが、第１基板１２と第２基板１３との間には、帯電粒子３１を含む電気泳動媒体３０（図２参照）が封入されており、また、第１基板１２と第２基板１３とにはＸ電極２及びＹ電極３を覆う耐液性の保護膜１８（図２参照）が塗布されている。
【００３７】
第１基板１２及び第２基板１３は、いずれも、厚さが約２０μｍ程度の可撓性を有する無色透明なフィルムである。尚、本実施例では、第２基板１３のうちＹ電極３が形成されている面（第１基板１２と対向する面）とは反対側の面を利用者が目視するため、その目視する面を画像が表示される表示面とする。
【００３８】
第１基板１２及び第２基板１３の材質としては、ガラス、合成樹脂、天然樹脂、紙などが挙げられ、本実施例では、好ましくは、合成樹脂であり、例えば、ポリエチレンテレフタレート（ＰＥＴ）、ポリエチレンナフタレート（ＰＥＮ）やポリフェニレンサルファイド（ＰＰＳ）などのポリエステル系樹脂、アラミド、ポリイミド、ナイロン、ポリプロピレン、硬質ポリエチレン（高密度ポリエチレン）などが挙げられる。
【００３９】
第１基板１２のうち第２基板１３と対向する側の面にはＸ電極２が形成され、第２基板１３のうち第１基板１２と対向する側の面にはＹ電極３が形成されている。Ｘ電極２及びＹ電極３は、後述する電気泳動媒体３０（図２参照）に電界を与えるための極性を担うものである。
【００４０】
Ｘ電極２は、矢印Ｘ方向に向かって直線状に延びて形成される無色透明な複数のライン電極２Ｍを矢印Ｙ方向に所定間隔を空けて並べて形成されている。Ｙ電極３は、矢印Ｙ方向に向かって直線状に延びて形成される複数のライン電極３Ｒ，３Ｇ，３Ｂを順番に矢印Ｘ方向に所定間隔を空けて並べて形成されている。ライン電極３Ｒは赤（Ｒｅｄ）、ライン電極３Ｇは緑（Ｇｒｅｅｎ）、ライン電極３Ｂは青（Ｂｌｕｅ）に着色されている。
【００４１】
また、Ｘ方向とＹ方向とは直交するので、Ｘ電極２を構成する各ライン電極２ＭとＹ電極３を構成する各ライン電極３Ｒ，３Ｇ，３Ｂとは、直交する関係にあり、第１基板１２と第２基板１３との間には、各ライン電極２Ｍと各ライン電極３Ｒ，３Ｇ，３Ｂとが交差する交差部分が、マトリックス状に形成される。即ち、表示媒体１０は、この交差部分を１画素とし、各ライン電極２Ｍと、各ライン電極３Ｒ，３Ｇ，３Ｂとを制御する単純マトリックス駆動方式によって表示面に画像を表示するものである。
【００４２】
次に、Ｘ電極２及びＹ電極３の構成材料について詳細に説明する。Ｘ電極２及びＹ電極３は、いずれも導電性高分子を含有する導電性材料によって構成されており、特に、Ｙ電極３を構成するライン電極３Ｒ，３Ｇ，３Ｂの各々は、無色透明な導電性材料を染料によって赤、緑、青に着色して構成されている点でＸ電極２と異なる。
【００４３】
導電性材料に含有されている導電性高分子としては、例えば、ポリアセチレン系導電性高分子などの脂肪族共役系導電性高分子、ポリパラフェニレン系導電性高分子などの芳香族共役系導電性高分子、ポリピロール系導電性高分子やポリチオフェン系導電性高分子などの複素環式共役系導電性高分子、又は、脂肪族共役系又は芳香族共役系をヘテロ原子で結合したポリアニリン系導電性高分子などの含ヘテロ原子共役系導電性高分子、あるいは、これらの各共役系導電性高分子の構成単位が少なくとも２種以上混合されて構成される導電性高分子であるポリビニレンフェニレン系導電性高分子などの混合型共役系導電性高分子などが挙げられる。
【００４４】
これらの導電性高分子のうち、電気的特性（表面抵抗率で表されるような導電性）や液体中での化学的安定性の観点から、導電性高分子としては、ポリピロール系導電性高分子やポリチオフェン系導電性高分子などの複素環式共役系導電性高分子であることが好ましく、最も好ましい導電性高分子は、ポリ（３，４−エチレンジオキシチオフェン）である。
【００４５】
また、導電性材料は、導電性高分子を分散又は溶解させて構成されており、導電性高分子を分散又は溶解させる媒体としては、安全性や環境対応性の点から、水、アルコール、又は、水とアルコールとの混合溶媒であることが好ましい。
【００４６】
このような導電性材料で構成されるＸ電極２およびＹ電極３は、インクジェット法、スピンコート法、スプレー法、コーティング法などの方法によって第１基板１２上および第２基板１３上に形成される。インクジェット法、スピンコート法、スプレー法、コーティング法などを用いることにより、スパッタ法や蒸着法に比べて穏和な条件でＸ電極２およびＹ電極３を基板上に形成することができる。そのため、第１基板１２又は第２基板１３が可撓性を有する薄い樹脂フィルムから構成される場合であっても、基板を損傷することなく電極を形成することができる。
【００４７】
尚、導電性高分子を媒体中に安定して分散又は溶解させるために、媒体中にポリスチレンスルホン酸塩などを添加してもよい。このポリスチレンスルホン酸塩は、例えば、アルカリ金属塩（例えば、ナトリウム塩、カリウム塩など）など、導電性高分子が媒体中に分散されることを阻害しないイオンを対イオンとする塩などが挙げられる。ポリスチレンスルホン酸塩における対イオンは、１種類であっても、２種類以上が混合されていてもよい。
【００４８】
ギャップスペーサ１７は、合成樹脂などから構成される約２０μｍ程度の厚さのフィルムであり、その中央部に開口部１７ａが開口されている。ギャップスペーサの材質としては、第１基板１２及び第２基板１３の材質として上記で列挙した樹脂などが挙げられる。
【００４９】
次に、図２を参照して、表示媒体１０についてより具体的に説明する。図２は、表示媒体１０の断面図である。なお、図２の断面図は、第１基板１２上に形成されたＸ電極２のうちの１本を通り、且つ、第２基板１３上に形成されたＹ電極３のそれぞれに対して略直交する切断線で切断した場合の断面を図示したものである。
【００５０】
図２に示すように、表示媒体１０における第１基板１２と第２基板１３との間には、正又は負に帯電された帯電粒子３１を含む電気泳動媒体３０が封入されている。また、第１基板１２および第２基板１３には、Ｘ電極２およびＹ電極３を覆う保護膜１８が塗布されている。
【００５１】
電気泳動媒体３０は、電気抵抗が高い（絶縁性が高い）溶媒が好ましく、好ましい溶媒としては、例えば、芳香族炭化水素溶媒（例えば、ベンゼン、トルエン、キシレンなど）、脂肪族炭化水素溶媒（例えば、ヘキサン、シクロヘキサンなどの直鎖又は環状パラフィン系炭化水素溶媒、イソパラフィン系炭化水素溶媒、ケロシンなど）、ハロゲン化炭化水素溶媒（例えば、クロロホルム、トリクロロエチレン、ジクロロメタン、トリクロロトリフルオロエチレン、臭化エチルなど）、シリコーンオイルのようなオイル状のポリシロキサン、高純度石油などが挙げられる。なお、電気泳動媒体３０は、上記のような各溶媒を単独で用いても、２種以上の混合物として用いてもよい。
【００５２】
帯電粒子３１は、正に帯電されている白色の白色帯電粒子３１ａと、負に帯電されている黒色の黒色帯電粒子３１ｂとから構成されている。白色帯電粒子３１ａや黒色帯電粒子３１ｂとしては、白色の酸化チタンや黒色のカーボンブラックなど、あるいは、フタロシアニン系顔料などの有機顔料をポリマ樹脂で被覆したものや、アゾ染料又はキノリン系染料などの公知の染料で着色された微細なポリマビーズなどが使用できる。
【００５３】
これらの白色帯電粒子３１ａ及び黒色帯電粒子３１ｂは、各画素毎にＸ電極２とＹ電極３との間に発生する電界に応じて、第１基板１２側又は第２基板１３側に泳動する。具体的には、任意のＹ電極３が、対応するＸ電極２に対して正となるように電界が形成された場合には、負に帯電されている黒色帯電粒子３１ｂは、第２基板１３側（Ｙ電極３側）に泳動し、正に帯電されている白色帯電粒子３１ａは、第１基板１２側（Ｘ電極２側）に泳動する。
【００５４】
逆に、任意のＹ電極３が、対応するＸ電極２に対して負となるように電界が形成された場合には、正に帯電されている白色帯電粒子３１ａが、第２基板１３側（Ｙ電極３側）に泳動し、負に帯電されている黒色帯電粒子３１ｂは、第１基板１２側（Ｘ電極２側）に泳動する。
【００５５】
このように、黒色帯電粒子３１ｂと白色帯電粒子３１ａとを第１基板１２側又は第２基板１３側に泳動させ、Ｙ電極３を介して表示面から放射される光によって、表示面にカラー画像を表示させることができる。
【００５６】
保護膜１８は、フッ素化合物を含有するコーティング剤を基板上にコーティングして形成されている。コーティング剤に含有されているフッ素化合物としては、所定の温度以上で液体状になるフッ素化合物が好ましく、例えば、低分子量ポリテトラフルオロエチレン（低分子量ＰＴＦＥ）、低分子量ポリクロロトリフルオロエチレン（低分子量ＰＣＴＦＥ）、低分子量テトラフルオロエチレン・パーフルオロアルキルビニルエーテル共重合体（低分子量ＰＦＡ）、低分子量テトラフルオロエチレン・ヘキサフルオロプロピレン共重合体（低分子量ＦＥＰ）などが挙げられる。このように保護膜１８を構成することで、Ｘ電極２およびＹ電極３と電気泳動媒体３０とが直接に接触するのが防止される。よって、Ｘ電極２およびＹ電極３が電気泳動媒体３０と接触することに伴う電極の劣化を防止することができる。また、Ｙ電極３を着色している染料が電気泳動媒体３０に溶けて電気泳動媒体が着色されるのを防止することができる。
【００５７】
尚、保護膜１８を形成しない場合には、染料の電気泳動媒体３０に対する溶解性は、染料のＹ電極３を構成する材料に対する溶解性よりも低いものであることが好ましい。このような染料を使用することで、Ｙ電極３を着色する染料が電気泳動媒体３０に溶け、電気泳動媒体３０が着色されるのを防止することができる。
【００５８】
図３は、基板１３上にＹ電極３および保護膜１８を形成するＹ電極および保護膜形成工程を説明する図である。図３に示すように、Ｙ電極および保護膜形成工程は、時系列に沿って、準備工程（Ｓ１）と、Ｙ電極塗布工程（Ｓ２）と、第１乾燥工程（Ｓ３）と、コーティング剤塗布工程（Ｓ４）と、第２乾燥工程（Ｓ５）とを備えている。
【００５９】
まず、準備工程（Ｓ１）では、赤に着色された導電性材料Ｒと、緑に着色された導電性材料Ｇと、青に着色された導電性材料Ｂとを製造する。具体的には、無色透明な導線性材料Ｄと、赤用の染料と、青用の染料と、黄用の染料とを用意する。
【００６０】
そして、無色透明な導線性材料Ｄを赤用の染料によって着色することで赤に着色された導電性材料Ｒを製造する。また、無色透明な導線性材料Ｄを青用の染料と黄用の染料とによって着色することで緑に着色された導電性材料Ｇを製造する。更に、無色透明な導線性材料Ｄを青用の染料によって着色することで青に着色された導電性材料Ｂを製造する。尚、緑に着色された導電性材料Ｇは、無色透明な導線性材料Ｄを緑用の染料によって着色することで製造しても良い。
【００６１】
次に、Ｙ電極塗布工程（Ｓ２）では、準備工程（Ｓ１）により製造された赤、緑、青に着色された各導電性材料Ｒ，Ｇ，Ｂが第２基板１３上に所定のパターン（図１（ｂ）参照）で形成されるようにインクジェット法によって塗布する。尚、インクジェット法に代えて、スピンコート法、スプレー法、コーティング法などの方法を用いることも可能であるが、インクジェット法によれば、インクジェット記録装置によってＹ電極３を所定のパターン（図１（ｂ）参照）に容易に塗布することができる。
【００６２】
次に、第１乾燥工程（Ｓ３）では、Ｙ電極塗布工程（Ｓ２）により第２基板１３上に塗布されたＹ電極３を乾燥させる。具体的には、Ｙ電極３が塗布された第２基板１３を、自然乾燥又はオーブンなどの乾燥装置を用いる加熱乾燥によって乾燥させる。加熱乾燥をする場合には、可撓性を有する第２基板１３が損傷されない程度の温度（例えば、１５０℃以下）で乾燥が行われ、より好ましい乾燥温度は１２０℃以下である。この第１乾燥工程（Ｓ３）により、Ｙ電極３が第２基板１３上に定着され、電極として使用し得る状態となる。
【００６３】
次に、コーティング剤塗布工程（Ｓ４）では、第１乾燥工程（Ｓ３）により第２基板１３上に定着されたＹ電極３の上に、液体状のコーティング剤Ｃを塗布して保護膜１８を形成する。コーティング剤Ｃを塗布する方法としては、スプレー式、ディッピング法、ゾルゲル法が簡便である。
【００６４】
次に、第２乾燥工程（Ｓ５）は、コーティング剤塗布工程（Ｓ４）により第２基板１３上に塗布されたコーティング剤Ｃを乾燥させる。具体的には、第２基板１３に塗布されたコーティング剤Ｃを、自然乾燥又はオーブンなどの乾燥器を用いる加熱乾燥によって乾燥させる。加熱乾燥をする場合には、可撓性を有する第２基板１３が損傷されない程度の温度（例えば、１５０℃以下）で乾燥が行われる。この第２乾燥工程（Ｓ５）により、コーティング剤が乾燥して第２基板１３上に保護膜１８が形成される。
【００６５】
このような製造工程を経ることで、第２基板１３上にＹ電極３および保護膜１８を形成することができる。尚、第１基板１２上にＸ電極２および保護膜１８を形成するための形成工程は、上述した準備工程（Ｓ１）で用意される無色透明な導線性材料Ｄを着色することなく使用する点でのみ、上述したＹ電極および保護膜形成工程と異なり、他の工程はＹ電極および保護膜形成工程と同様なので、その説明は省略する。
【００６６】
以上説明したように、本発明の表示媒体１０によれば、Ｙ電極３は、赤、緑、青に着色されたライン電極３Ｒ，３Ｇ，３Ｂによって構成されているので、画像をカラー表示させるべく、従来のように、カラーフィルタと電極とを位置合わせしたり、着色されたマイクロカプセルと電極とを位置合わせする必要がないばかりでなく、Ｙ電極３を介して光を確実に変色させることができるので、カラー画像を高画質に表示させることができる。
【００６７】
次に、図４（ａ）を参照して、上述した表示媒体１０に関する第１変形例について説明する。この第１変形例は、第２基板１３に形成されるＹ電極３の着色パターンを変形したものである。図４（ａ）は、図１（ｂ）に示す第２基板１３に相当する図であり、第１変形例における第２基板１３の斜視図である。
【００６８】
第１変形例において第２基板１３に形成されるＹ電極３は、矢印Ｙ方向に向かって直線状に延びて形成される複数のライン電極３Ｄを矢印Ｘ方向に所定間隔を空けて並べて形成されている。また、各ライン電極３Ｄは、Ｙ方向において、赤に着色された赤ブロック３Ｒと、緑に着色された緑ブロック３Ｇと、青に着色された青ブロック３Ｂとが順番に並ぶように着色されている。更に、隣合う各ライン電極３Ｄにおいて、赤ブロック３Ｒと、緑ブロック３Ｇと、青ブロック３Ｂとが反矢印Ｙ方向に１ブロックずつズレるように（矢印Ｙ方向に２ブロックずつズレるように）着色されている。
【００６９】
換言すれば、ほぼ直交する方向にあるＸ方向とＹ方向とに対し、ほぼ４５度方向の斜め方向において、赤ブロック３Ｒがほぼ直線状に並び、その隣に緑ブロック３Ｇが直線状に並び、その隣に青ブロック３Ｂが直線状に並ぶように着色されている。
【００７０】
このようにＹ電極３の着色パターンを構成したとしても、上述した場合と同様に、Ｙ電極３を介して光を確実に変色させることができ、カラー画像を高画質に表示させることができる。
【００７１】
次に、図４（ｂ）を参照して、上述した表示媒体１０に関する第２変形例について説明する。第２変形例は、第２基板１３に形成されるＹ電極３の形態パターンを変形したものである。図４（ｂ）は、図１（ｂ）に示す第２基板１３に相当する図であり、第２変形例における第２基板１３の斜視図である。
【００７２】
第２変形例において第２基板１３に形成されるＹ電極３は、矢印Ｙ方向に向かって直線状に延びて形成される複数のライン電極３Ｒ，３Ｇ，３Ｂの各々を順番に矢印Ｘ方向に所定間隔を空けて並べて形成されている。
【００７３】
また、ライン電極３Ｒは赤、ライン電極３Ｇは緑、ライン電極３Ｂは青に着色されており、ライン電極３ＲのＸ方向に於ける幅は、ライン電極３ＧのＸ方向に於ける幅またはライン電極３ＢのＸ方向に於ける幅よりも長く（太く）形成されている。
【００７４】
このように、緑、青に比べて視覚に対する感度が強い赤に着色されているライン電極３Ｒを、緑、青に着色されているライン電極３Ｇ，３ＢよりもＸ方向に幅広に形成することで、カラー表示される画像を高コントラスト、高画質で表示させることができる。
【００７５】
尚、上述した第２変形例では、視覚に対する感度が強い赤に着色されたライン電極３Ｒを他の色に着色されたライン電極３Ｇ，３Ｂよりも幅広に形成する場合について説明したが、着色される色味に着目し、色味の薄い色に着色されるライン電極を、他の色に着色されるライン電極よりも幅広に形成しても良い。かかる場合であっても上述したのと同様な効果を奏することができる。
また、どの色の幅を広くするかは、どのように画像を表現した以下によって定めればよい。
【００７６】
また、各ライン電極３Ｒ，３Ｇ，３Ｂの幅は同一とし、例えば、視覚に対する感度が強い赤に着色されたライン電極３Ｒが、矢印Ｘ方向に２本連続に並ぶように形成しても良い。かかる場合であっても上述したのと同様な効果を奏することができる。
【００７７】
次に、図５を参照して、上述した表示媒体１０に関する第３変形例について説明する。上述した表示媒体１０はいずれも、単純マトリックス駆動方式により駆動させるものであったのに対し、第３変形例の表示媒体１０は、アクティブマトリックス駆動方式により駆動させるものである。図５は、図１（ｂ）に対応する図であり、第３変形例の表示媒体１０の分解斜視図である。
【００７８】
第３変形例の表示媒体１０は、上述した表示媒体１０と同様に、第１基板１２と、第２基板１３と、その第２基板１３と第１基板１２との間に挟持されるギャップスペーサ１７とを備え、第１基板１２と第２基板１３との間には、帯電粒子３１を含む電気泳動媒体３０が封入されている。
【００７９】
また、第１基板１２の上面（第２基板１３と対向する面）には、その全面を覆うように無色透明な共通電極１４が形成されている。一方、第２基板１３の下面（第１基板１２と対向する面）には、矢印Ｘ方向に延びて矢印Ｙ方向に所定間隔を空けて並べて配置される導電性を有する複数のゲート配線１５と、ゲート配線１６を跨ぎつつ矢印Ｙ方向に延びて矢印Ｘ方向に所定間隔を空けて並べて配置される導電性を有する複数のソース配線１６と、ゲート配線１５とソース配線１６とによって囲まれる領域の各々に形成される画素電極１９と、画素電極１９の各々に対応してゲート配線１５とソース配線１６とが交差する付近に配置されるアクティブ素子２０とを備えている。
【００８０】
画素電極１９は、各画素に対応する電極であって、赤に着色された画素電極１９Ｒと、緑に着色された画素電極１９Ｇと、青に着色された画素電極１９Ｂとを備え、同じ色で着色されている画素電極１９が矢印Ｘ方向に直線状に並べられ、且つ、矢印Ｙ方向に赤、緑、青の順番で並らぶように形成されている。
【００８１】
アクティブ素子２０は、ゲート配線１５と、ソース配線１６と、画素電極１９とに繋がる３端子素子であって、スイッチとして機能し、アモルファスシリコン等で構築されているＴＦＴ（Thin Film Transistor）によって構成されている。
【００８２】
ＴＦＴの最下層には、ゲート配線１５に繋がるゲート電極が形成されており、任意のゲート配線１５を介して電圧が供給されると、ＴＦＴはＯＮ状態（導通状態）となる。このＯＮ状態において任意のソース配線１６を介して電圧が供給されると、目的画素に対応する画素電極１９と共通電極１４と間に電界が発生し、上述したのと同様に帯電粒子３１が泳動して、カラー画像が表示面に表示される。
【００８３】
この第３変形例の表示媒体１０によれば、アクティブマトリックス駆動方式により駆動されるので、単純マトリックス駆動方式によって駆動させる場合に比べて、カラー表示される画像を高コントラスト、高画質で表示させることができると共に、画像の表示速度を高速にすることができる。
【００８４】
次に、図６を参照して、上述した表示媒体１０に関する第４変形例について説明する。図６は、図１（ｂ）、図６に対応する図であり、第４変形例の表示媒体１０の分解斜視図である。
【００８５】
第４変形例の表示媒体１０は、第３変形例の表示媒体１０と同様に、アクティブマトリックス駆動方式により駆動させるものである。また、第３変形例の表示媒体１０では、画素電極１９の各々が赤、緑、青に着色され、共通電極１４が無色透明で構成されているのに対し、第４変形例の表示媒体１０は、共通電極２５が赤、緑、青に着色され、画素電極２３が無色透明で構成されている。
【００８６】
第４変形例の表示媒体１０は、上述した第３変形例の表示媒体１０と同様に、第１基板１２と、第２基板１３と、その第２基板１３と第１基板１２との間に挟持されるギャップスペーサ１７とを備え、第１基板１２と第２基板１３との間には、帯電粒子３１を含む電気泳動媒体３０が封入されている。
【００８７】
また、第１基板１３の上面（第２基板１３と対向する面）には、矢印Ｘ方向に延びて矢印Ｙ方向に所定間隔を空けて並べて配置される導電性を有する複数のゲート配線２１と、ゲート配線２１を跨ぎつつ矢印Ｙ方向に延びて矢印Ｘ方向に所定間隔を空けて並べて配置される導電性を有するソース配線２２と、ゲート配線２１とソース配線２２とによって囲まれる領域の各々に形成される無色透明な画素電極２３と、画素電極２３の各々に対応してゲート配線２１とソース配線２２とが交差する付近に配置されるアクティブ素子２４とを備えている。
【００８８】
一方、第２基板の下面（第１基板１２と対向する面）には、その全面を覆うように共通電極２５が形成されており、共通電極２５は、矢印Ｘ方向に直線状に延びる赤に着色された赤ライン２５Ｒと、緑に着色された緑ライン２５Ｇと、青色に着色された青ライン２５Ｂとが順番に矢印Ｙ方向に並ぶように着色されている。尚、赤ライン２５Ｒと、緑ライン２５Ｇと、青ライン２５Ｂとの各々は、第１基板１２上においてＸ方向に直線状に並ぶ各画素電極２３と対応している。
【００８９】
この第４変形例の表示媒体１０によれば、上述した第３変形例の表示媒体１０と同じ効果を奏することができる上、赤ライン２５Ｒと、緑ライン２５Ｇと、青ライン２５Ｂとの各々を、確実に第１基板１２上においてＸ方向に直線状に並ぶ各画素電極２３に対応させることができるので、より高画質なカラー画像を表示することができる。
【００９０】
以上、実施例に基づき本発明を説明したが、本発明は上述した実施例に何ら限定されるものではなく、本発明の趣旨を逸脱しない範囲内で種々の改良変更が可能であることは容易に推察できるものである。
【００９１】
例えば、上述した表示媒体１０では、いずれもＹ電極３、画素電極１９、共通電極２５を赤、緑、青の所謂ＲＧＢに着色する場合について説明したが、着色する色種としては、ＲＧＢに限定されるものではなく、黄色、マゼンタ、シアンの所謂ＹＭＣによってＹ電極３等を着色するようにしても良い。かかる場合であっても上述したのと同様に多彩なカラー表示をさせることができる。
【００９２】
また、上述した表示媒体１０では、いずれもＹ電極３等を赤、緑、青の３色で着色する場合について説明したが、着色する色数としては、かかる３色に限定されるものではなく、１種類以上であれば良い。例えば、Ｙ電極３を１色で着色することで、セピア色や黄色がかった画像を表示することができ、２色以上で着色することで、１色で着色する場合よりも多彩なカラー表示をすることができる。
【００９３】
また、上述した第３，第４変形例では、アクティブ素子を３端子素子であるＴＦＴで構成する場合について説明したが、かかるアクティブ素子をゲート配線、ソース配線とに繋がる２端子素子であるＭＩＮ（Metal Insulator Metal）によって構成しても良い。かかる場合には、ＴＦＴを使用する場合に比べて画像品質は低下するものの単純マトリックス駆動方式の場合に比べて画像品質を向上させることができる。
【００９４】
また、上述した表示媒体１０では、第１基板１２と第２基板１３との間に封入される流動性物質として、帯電粒子３１を含む電気泳動媒体３０を封入する場合について説明したが、流動性物質として液晶であっても良い。更には、流動性物質として帯電粒子を封入したマイクロカプセルであっても良い。
【図面の簡単な説明】
【００９５】
【図１】（ａ）は、本発明の表示媒体を搭載した表示装置の外観斜視図であり、（ｂ）は、表示媒体の分解斜視図である。
【図２】表示媒体の断面図である。
【図３】Ｙ電極および保護膜形成工程を説明するための図である。
【図４】（ａ）は第１変形例における第２基板１３の斜視図である。（ｂ）は第２変形例における第２基板１３の斜視図である。
【図５】第３変形例の表示媒体の分解斜視図である。
【図６】第４変形例の表示媒体１０の分解斜視図である。
【図７】従来の表示媒体１００を示す断面図である。
【符号の説明】
【００９６】
２          Ｘ電極（第１電極）
３          Ｙ電極（第２電極）
１０        表示媒体
１２        第１基板
１３        第２基板
１８        保護膜
３０        電気泳動媒体
３１        帯電粒子
３１ａ      白色帯電粒子（帯電粒子）
３１ｂ      黒色帯電粒子（帯電粒子）
１５，２１  ゲート配線（区画部材の一部）
１６，２２  ソース配線（区画部材の一部）
１９        画素電極
２０，２４  アクティブ素子（スイッチ手段）
【図１】
2007072293.tif 000003
【図２】
2007072293.tif 000004
【図３】
2007072293.tif 000005
【図４】
2007072293.tif 000006
【図５】
2007072293.tif 000007
【図６】
2007072293.tif 000008
【図７】
2007072293.tif 000009